(57)【要約】【課題】ＨＤＭＩクラスタのＨＤＭＩデバイス毎に種々の情報を容易に取得し、利用することを可能とする。【解決手段】ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースを備える。処理部により、このデータベースを用いた処理を行う。処理部は、例えば、処理部は、データベースを外部機器に送信する。また、例えば、処理部は、このデータベースに基づいて、ＨＤＭＩクラスタ内のＨＤＭＩデバイスとその接続状況、さらには各ＨＤＭＩデバイスの固有情報を表示する。【選択図】図１３
2016177701.tif 000002
【特許請求の範囲】
【請求項１】
ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースと、
上記データベースを用いた処理を行う処理部を備える
ネットワーク装置。
【請求項２】
上記処理部は、
上記データベースを外部機器に送信する
請求項１に記載のネットワーク装置。
【請求項３】
上記外部機器は、モバイル機器である
請求項２に記載のネットワーク装置。
【請求項４】
上記処理部は、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う
請求項１に記載のネットワーク装置。
【請求項５】
上記固有情報の取得による表示に基づいて、上記ユーザ指定のＨＤＭＩデバイスの制御操作を行う操作部をさらに備える
請求項４に記載のネットワーク装置。
【請求項６】
上記取得先情報は、ＵＲＬである
請求項１に記載のネットワーク装置。
【請求項７】
ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースを記憶部から読み出すステップと、
上記データベースを用いた処理を行うステップを有する
情報処理方法。
【請求項８】
外部機器から、少なくともＨＤＭＩ  ＣＥＣ論理アドレス、ＨＤＭＩ  ＣＥＣ物理アドレス、および固有情報を取得するための取得先情報が登録されたデータベースをＩＰ通信で受信する受信部と、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う処理部を備える
ネットワーク装置。
【請求項９】
上記固有情報の取得による表示に基づいて、上記ユーザ指定のＨＤＭＩデバイスの制御操作を行う操作部をさらに備える
請求項８に記載のネットワーク装置。
【請求項１０】
上記取得先情報は、ＵＲＬである
請求項８に記載のネットワーク装置。
【請求項１１】
受信部により、外部機器から、少なくともＨＤＭＩ  ＣＥＣ論理アドレス、ＨＤＭＩ  ＣＥＣ物理アドレス、および固有情報を取得するための取得先情報が登録されたデータベースをＩＰ通信で受信する受信ステップと、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う処理ステップを有する
情報処理方法。
【請求項１２】
ＨＤＭＩクラスタを構成するＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを作成する登録部と、
上記登録部で作成されたデータベースをＣＥＣ通信またはＩＰ通信で上記ＨＤＭＩクラスタを構成する他のＨＤＭＩデバイスに送信する通信部を備える
ＨＤＭＩデバイス。
【請求項１３】
上記取得先情報は、ＵＲＬである
請求項１２に記載のＨＤＭＩデバイス。
【請求項１４】
ＨＤＭＩクラスタを構成するプロキシ機能を持つＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを作成する登録部と、
上記ＨＤＭＩクラスタを構成する他のＨＤＭＩデバイスからデータベースをＣＥＣ通信またはＩＰ通信で受信する第１の通信部と、
上記登録部で作成されたデータベースと上記第１の通信部で受信されたデータベースを統合して上記ＨＤＭＩクラスタのデータベースを生成する第１の生成部を備える
ＨＤＭＩデバイス。
【請求項１５】
上記取得先情報は、ＵＲＬである
請求項１４に記載のＨＤＭＩデバイス。
【請求項１６】
上記第１の生成部で生成されたＨＤＭＩクラスタのデータベースを、他のＨＤＭＩクラスタにＩＰ通信で送信する第２の通信部をさらに備える
請求項１４に記載のＨＤＭＩデバイス。
【請求項１７】
他のＨＤＭＩクラスタで生成されたＨＤＭＩクラスタのデータベースをＩＰ通信で受信する第２の通信部と、
上記第１の生成部で生成されたＨＤＭＩクラスタのデータベースと上記第２の通信部で受信されたＨＤＭＩクラスタのデータベースを統合して複数のＨＤＭＩクラスタを含むネットワークのデータベースを生成する第２の生成部をさらに備える
請求項１４に記載のＨＤＭＩデバイス。
【請求項１８】
上記第２の生成部で生成されたネットワークのデータベースをＩＰ通信で外部機器に送信する第３の通信部をさらに備える
請求項１７に記載のＨＤＭＩデバイス。
【請求項１９】
上記外部機器は、モバイル機器である
請求項１８に記載のＨＤＭＩデバイス。
【請求項２０】
ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースと、
上記データベースを外部機器に送信する送信部を備える
ＨＤＭＩデバイス。
【発明の詳細な説明】
【技術分野】
【０００１】
この発明は、ネットワーク装置、情報処理方法およびＨＤＭＩデバイスに関する。
【背景技術】
【０００２】
部屋ごとにＨＤＭＩクラスタ（ＨＤＭＩネットワーク）を形成してなるホームネットワークに関連して、ＨＤＭＩデバイス毎のＨＤＭＩ  ＣＥＣ論理アドレス、ＨＤＭＩ  ＣＥＣ物理アドレスなどを登録したデータベースに基づいた処理を行うことが提案されている（例えば、特許文献１参照）。このデータベースに基づいて、例えば、モバイル機器に、ＨＤＭＩクラスタごとに、ＨＤＭＩクラスタ内のＨＤＭＩデバイスおよびこのＨＤＭＩデバイスの接続状況を表示すること等が可能となる。
【先行技術文献】
【特許文献】
【０００３】
【特許文献１】特表２０１３−５３１８２４号公報
【発明の概要】
【発明が解決しようとする課題】
【０００４】
本技術の目的は、ＨＤＭＩクラスタのＨＤＭＩデバイス毎に種々の情報を容易に取得し、利用することを可能とすることにある。
【課題を解決するための手段】
【０００５】
本技術の概念は、
ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースと、
上記データベースを用いた処理を行う処理部を備える
ネットワーク装置にある。
【０００６】
本技術において、ネットワーク装置は、データベースを備えている。このデータベースには、ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されている。例えば、取得先情報は、ＵＲＬである、ようにされてもよい。
【０００７】
処理部により、データベースを用いた処理が行われる。例えば、処理部は、データベースを外部機器に送信する、ようにされてもよい。この場合、例えば、外部機器は、モバイル機器である、ようにされてもよい。
【０００８】
また、例えば、処理部は、ＨＤＭＩ  ＣＥＣ論理アドレスおよびＨＤＭＩ  ＣＥＣ物理アドレスに基づいてＨＤＭＩクラスタ内のＨＤＭＩデバイスとその接続状況を表示する処理を行うと共に、取得先情報に基づいてユーザ指定のＨＤＭＩデバイスの固有情報を取得して表示する処理を行う、ようにされてもよい。この場合、例えば、固有情報の取得による表示に基づいて、ユーザ指定のＨＤＭＩデバイスの制御操作を行う操作部をさらに備える、ようにされてもよい。
【０００９】
このように本技術においては、データベースに、ネットワークを構成する各ＨＤＭＩクラスタのＨＤＭＩデバイス毎に、ＨＤＭＩ  ＣＥＣ論理アドレス、ＨＤＭＩ  ＣＥＣ物理アドレスと共に、固有情報を取得するための取得先情報が登録されている。そのため、このデータベースに基づいて、自身あるいは外部機器において、各ＨＤＭＩクラスタを構成するＨＤＭＩデバイス毎に種々の情報を容易に取得し、利用することが可能となる。
【００１０】
また、本技術の他の概念は、
外部機器から、少なくともＨＤＭＩ  ＣＥＣ論理アドレス、ＨＤＭＩ  ＣＥＣ物理アドレス、および固有情報を取得するための取得先情報が登録されたデータベースをＩＰ通信で受信する受信部と、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う処理部を備える
ネットワーク装置にある。
【００１１】
本技術において、受信部により、外部機器から、少なくともＨＤＭＩ  ＣＥＣ論理アドレス、ＨＤＭＩ  ＣＥＣ物理アドレス、および固有情報を取得するための取得先情報が登録されたデータベースがＩＰ通信で受信される。例えば、取得先情報は、ＵＲＬである、ようにされてもよい。
【００１２】
処理部により、ＨＤＭＩ  ＣＥＣ論理アドレスおよびＨＤＭＩ  ＣＥＣ物理アドレスに基づいてＨＤＭＩクラスタ内のＨＤＭＩデバイスおよびそのＨＤＭＩデバイスの接続状況を表示する処理が行われる。また、この処理部により、取得先情報に基づいてユーザ指定のＨＤＭＩデバイスの固有情報を取得して表示する処理が行われる。例えば、固有情報の取得による表示に基づいて、ユーザ指定のＨＤＭＩデバイスの制御操作を行う操作部をさらに備える、ようにされてもよい。
【００１３】
このように本技術においては、外部機器から受信されるデータベースに、ＨＤＭＩ  ＣＥＣ物理アドレス、ＨＤＭＩ  ＣＥＣ論理アドレスと共に、固有情報を取得するための取得先情報が登録されている。そのため、このデータベースに基づいて、ＨＤＭＩクラスタを構成するＨＤＭＩデバイス毎に種々の情報を容易に取得し、表示や制御操作に利用することが可能となる。
【００１４】
また、本技術の他の概念は、
ＨＤＭＩクラスタを構成するＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを生成する登録部と、
上記登録部で作成されたデータベースをＣＥＣ通信またはＩＰ通信で上記ＨＤＭＩクラスタを構成する他のＨＤＭＩデバイスに送信する通信部を備える
ＨＤＭＩデバイスにある。
【００１５】
本技術において、登録部により、少なくとも自身のＨＤＭＩ  ＣＥＣ論理アドレス、ＨＤＭＩ  ＣＥＣ物理アドレス、および固有情報を取得するための取得先情報が登録されてデータベースが作成される。例えば、取得先情報は、ＵＲＬである、ようにされてもよい。通信部により、登録部で作成されたデータベースがＣＥＣ通信またはＩＰ通信でＨＤＭＩクラスタを構成する他のＨＤＭＩデバイスに送信される。
【００１６】
このように本技術においては、少なくとも自身のＨＤＭＩ  ＣＥＣ論理アドレス、ＨＤＭＩ  ＣＥＣ物理アドレス、および固有情報を取得するための取得先情報が登録されてデータベースが作成され、そのデータベースがＣＥＣ通信またはＩＰ通信でＨＤＭＩクラスタを構成する他のＨＤＭＩデバイスに送信される。そのため、他のＨＤＭＩデバイスにおいて、各ＨＤＭＩデバイスのデータベースが統合されたＨＤＭＩクラスタのデータベースを生成することが可能となる。
【００１７】
また、本技術の他の概念は、
ＨＤＭＩクラスタを構成するプロキシ機能（ＩＰ通信とＣＥＣ通信の間を取り持つ機能）を持つＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを作成する登録部と、
上記ＨＤＭＩクラスタを構成する他のＨＤＭＩデバイスからデータベースをＣＥＣ通信またはＩＰ通信で受信する第１の通信部と、
上記登録部で作成されたデータベースと上記第１の通信部で受信されたデータベースを統合して上記ＨＤＭＩクラスタのデータベースを生成する第１の生成部を備える
ＨＤＭＩデバイスにある。
【００１８】
本技術は、プロキシ機能を持つＨＤＭＩデバイスである。本技術において、登録部により、少なくとも自身のＨＤＭＩ  ＣＥＣ論理アドレス、ＨＤＭＩ  ＣＥＣ物理アドレス、および固有情報を取得するための取得先情報が登録されてデータベースが作成される。例えば、取得先情報は、ＵＲＬである、ようにされてもよい。
【００１９】
第１の通信部により、ＨＤＭＩクラスタを構成する他のＨＤＭＩデバイスからデータベースがＣＥＣ通信またはＩＰ通信で受信される。第１の生成部により、登録部に作成されたデータベースと第１の通信部で受信されたデータベースが統合されてＨＤＭＩクラスタのデータベースが生成される。
【００２０】
このように本技術においては、各ＨＤＭＩデバイスのデータベースが統合されたＨＤＭＩクラスタのデータベースの生成が良好に行われる。
【００２１】
なお、本技術において、例えば、第１の生成部で生成されたＨＤＭＩクラスタのデータベースを、他のＨＤＭＩクラスタにＩＰ通信で送信する第２の通信部をさらに備える、ようにされてもよい。この場合、他のＨＤＭＩクラスタにおいて、複数のＨＤＭＩクラスタを含むネットワークのデータベースを生成することが可能となる。
【００２２】
また、本技術において、例えば、他のＨＤＭＩクラスタで生成されたＨＤＭＩクラスタのデータベースをＩＰ通信で受信する第２の通信部と、第１の生成部で生成されたＨＤＭＩクラスタのデータベースと第２の通信部で受信されたＨＤＭＩクラスタのデータベースを統合して複数のＨＤＭＩクラスタを含むネットワークのデータベースを生成する第２の生成部をさらに備える、ようにされてもよい。この場合、複数のＨＤＭＩクラスタを含むネットワークのデータベースの生成が良好に行われる。
【００２３】
この場合、例えば、第２の生成部で生成されたネットワークのデータベースをＩＰ通信で外部機器に送信する第３の通信部をさらに備える、ようにされてもよい。例えば、外部機器は、モバイル機器である、ようにされてもよい。この場合、外部機器において、ネットワークのデータベースに基づいて、ＨＤＭＩクラスタのＨＤＭＩデバイス毎に種々の情報を容易に取得し、表示や制御操作に利用することが可能となる。
【発明の効果】
【００２４】
本技術によれば、ＨＤＭＩクラスタのＨＤＭＩデバイス毎に種々の情報を容易に取得し、利用することが可能となる。なお、本明細書に記載された効果はあくまで例示であって限定されるものではなく、また付加的な効果があってもよい。
【図面の簡単な説明】
【００２５】
【図１】実施の形態としてのホームネットワークとモバイル機器を示す図である。
【図２】ソース機器のＨＤＭＩ送信部とシンク機器のＨＤＭＩ受信部の構成例を示す図である。
【図３】物理アドレス、論理アドレス、および固有情報を取得するための取得先情報などが登録されたデータベース１の一例を示す図である。
【図４】モバイル機器におけるネットワークＩＤのＵＩ表示例を示す図である。
【図５】モバイル機器におけるネットワークＩＤのＵＩ表示のための処理手順の一例を示す図である。
【図６】モバイル機器におけるＨＤＭＩクラスタ内のＨＤＭＩデバイスとその接続状況のＵＩ表示例を示す図である。
【図７】モバイル機器におけるＨＤＭＩクラスタ内のＨＤＭＩデバイスとその接続状況のＵＩ表示のための処理手順の一例を示すフローチャートである。
【図８】ＨＤＭＩデバイスの固有情報が登録されたデータベース２の一例を示す図である。
【図９】ＨＤＭＩデバイスの固有情報のＵＩ表示の一例を示す図である。
【図１０】モバイル機器における指定ＨＤＭＩデバイスの固有情報のＵＩ表示のための処理手順の一例を示すフローチャートである。
【図１１】モバイル機器による制御操作の一例を示すフローチャートである。
【図１２】モバイル機器におけるデータベース１に関係した処理を行うための機能ブロックを示す図である。
【図１３】ＨＤＭＩクラスタ（ＨＤＭＩネットワーク）のプロキシ機能を持つテレビ受信機がデータベース１を生成し、このテレビ受信機にデータベース１が存在する場合の例を示す図である。
【図１４】第１から第３の種類のＨＤＭＩデバイスの構成を説明するための図である。
【図１５】第１から第３の種類のＨＤＭＩデバイスが自らのデータベースを作成するための各種情報の登録処理手順の一例を示すフローチャートである。
【図１６】第２の種類のＨＤＭＩデバイス（プロキシデバイス）がＨＤＭＩクラスタのデータベースを作成するための処理手順の一例を示すフローチャートである。
【図１７】第３の種類のＨＤＭＩデバイス（プロキシデバイス）が複数のＨＤＭＩクラスタからなるネットワークのデータベースを作成するための処理手順の一例を示すフローチャートである。
【図１８】第３の種類のＨＤＭＩデバイス（プロキシデバイス）が定期的にデータベース１を更新する場合における処理手順の一例を示すフローチャートである。
【発明を実施するための形態】
【００２６】
以下、発明を実施するための形態（以下、「実施の形態」とする）について説明する。なお、説明を以下の順序で行う。
１．実施の形態
２．変形例
【００２７】
＜１．実施の形態＞
［ホームネットワークの構成例］
図１は、ホームネットワーク１００と、モバイル機器２００を示している。モバイル機器２００は、例えば、スマートフォン、タブレットなどの携帯端末である。ホームネットワーク１００は、３つのＨＤＭＩ（High-Definition Multimedia Interface）クラスタ１１０、１２０、１３０を有する構成となっている。
【００２８】
ＨＤＭＩクラスタ１１０は、リビングルームに形成されたＨＤＭＩネットワークであり、シンク機器としてのテレビ受信機１１１と、ソース機器としてのセットトップボックス１１２およびオーディオアンプ１１３からなっている。オーディオアンプ１１３は、プロキシ機能を持っている。テレビ受信機１１１とセットトップボックス１１２はＨＤＭＩインタフェースで接続されている。また、テレビ受信機１１１とオーディオアンプ１１３もＨＤＭＩインタフェースで接続されている。
【００２９】
また、ＨＤＭＩクラスタ１２０は、ベッドルームに形成されたＨＤＭＩネットワークであり、シンク機器としてのテレビ受信機１２１と、ソース機器としてのＤＶＤ（Digital Versatile Disk）プレーヤ１２２からなっている。テレビ受信機１２１は、プロキシ機能を持っている。テレビ受信機１２１とＤＶＤプレーヤ１２２はＨＤＭＩインタフェースで接続されている。
【００３０】
また、ＨＤＭＩクラスタ１３０は、キッズルームに形成されたＨＤＭＩネットワークであり、シンク機器としてのテレビ受信機１３１と、ソース機器としてのゲーム機１３２およびＢＤ（Blu-ray Disc）プレーヤ１３３からなっている。ＢＤプレーヤ１３３は、プロキシ機能を持っている。テレビ受信機１３１とゲーム機１３２はＨＤＭＩインタフェースで接続されている。また、テレビ受信機１３１とＢＤプレーヤ１３３もＨＤＭＩインタフェースで接続されている。
【００３１】
なお、図示していないが、ＨＤＭＩクラスタ１１０、１２０、１３０は、相互に、有線あるいは無線により、ＬＡＮ（Local Area Network）接続が行われている。また、図示していないが、ＨＤＭＩクラスタ１１０、１２０、１３０は、このＬＡＮ接続を介して、インターネットなどの外部ネットワークに接続可能とされている。
【００３２】
図２は、ソース機器のＨＤＭＩ送信部４１０とシンク機器のＨＤＭＩ受信部４２０の構成例を示している。ＨＤＭＩ送信部４１０は、一の垂直同期信号から次の垂直同期信号までの区間から、水平帰線区間および垂直帰線区間を除いた区間である有効画像区間（アクティブビデオ区間）において、非圧縮の１画面分の画像の画素データに対応する差動信号を、複数のチャネルで、ＨＤＭＩ受信部４２０に一方向に送信する。また、ＨＤＭＩ送信部４１０は、水平帰線区間または垂直帰線区間において、少なくとも画像に付随する音声データや制御データ、その他の補助データ等に対応する差動信号を、複数のチャネルで、ＨＤＭＩ受信部４２０に一方向に送信する。
【００３３】
すなわち、ＨＤＭＩ送信部４１０は、ＨＤＭＩトランスミッタ３１を有する。トランスミッタ３１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部４２０に、一方向にシリアル伝送する。
【００３４】
また、トランスミッタ３１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部４２０に一方向にシリアル伝送する。
【００３５】
ＨＤＭＩ受信部４２０は、アクティブビデオ区間において、複数のチャネルで、ＨＤＭＩ送信部４１０から一方向に送信されてくる、画素データに対応する差動信号を受信する。また、ＨＤＭＩ受信部４２０は、水平帰線区間または垂直帰線区間において、複数のチャネルで、ＨＤＭＩ送信部４１０から一方向に送信されてくる、音声データや制御データに対応する差動信号を受信する。
【００３６】
ＨＤＭＩ送信部４１０とＨＤＭＩ受信部４２０とからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）３３やＣＥＣ（Consumer Electronics Control）ライン３４と呼ばれる伝送チャネルがある。
【００３７】
ＤＤＣ３３は、ＨＤＭＩケーブル４３０に含まれる２本の信号線からなり、ＨＤＭＩ送信部４１０が、ＨＤＭＩケーブル４３０を介して接続されたＨＤＭＩ受信部４２０から、ＥＤＩＤ（Extended Display Identification Data）を読み出すために使用される。すなわち、ＨＤＭＩ受信部４２０は、ＨＤＭＩレシーバ３２の他に、自身の性能（Configuration・Capability）に関する性能情報であるＥＤＩＤを記憶している、ＥＤＩＤ ＲＯＭ（Read Only Memory）を有している。
【００３８】
ＨＤＭＩ送信部４１０は、ＨＤＭＩケーブル４３０を介して接続されているＨＤＭＩ受信部４２０から、ＥＤＩＤを、ＤＤＣ３３を介して読み出す。そして、ソース機器の制御部（ＣＰＵ）は、そのＥＤＩＤに基づき、ＨＤＭＩ受信部４２０を有するシンク機器の性能を認識する。
【００３９】
ＣＥＣライン３４は、ＨＤＭＩケーブル４３０に含まれる１本の信号線からなり、ソース機器とシンク機器との間で制御用のデータの双方向通信、つまりＣＥＣ通信を行うために用いられる。また、ＨＤＭＩケーブル４３０には、ＨＰＤ（Hot Plug Detect）と呼ばれるピンに接続されるＨＰＤライン３５が含まれている。
【００４０】
ソース機器は、このＨＰＤライン３５を利用して、直流バイアス電位により、シンク機器の接続を検出することができる。この場合、ＨＰＤライン３５は、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【００４１】
また、ＨＤＭＩケーブル４３０には、ソース機器からシンク機器に電源を供給するために用いられる電源ライン３６が含まれている。さらに、ＨＤＭＩケーブル４３０には、リザーブライン３７が含まれている。ＨＰＤライン３５とリザーブライン３７を用いて一対の差動伝送路からなるＨＤＭＩイーサネットチャネル（ＨＥＣ）を構成できる。このチャネルにより、ソース機器とシンク機器との間でＩＰ通信が可能となる。
【００４２】
ＨＤＭＩ規格ではＣＥＣ（Consumer Electronics Control）を使った機器間制御が定義されている。このＣＥＣによれば、ＨＤＭＩネットワーク上に存在する各機器に割り当てられる固有の物理アドレスと論理アドレスに基づいて様々な制御を可能としている。ＨＤＭＩデバイス（ＣＥＣ対応機器）は、ＨＤＭＩ接続時に、ＨＤＭＩ  ＣＥＣ物理アドレスおよびＨＤＭＩ  ＣＥＣ論理アドレスを取得する。ＨＤＭＩ  ＣＥＣ物理アドレス（以下、適宜、「物理アドレス」という）は、ＨＤＭＩクラスタにおけるＨＤＭＩデバイスの接続関係を示す。また、ＨＤＭＩ  ＣＥＣ論理アドレス（以下、適宜、「論理アドレス」という）は、ＨＤＭＩデバイスの種類を示す。
【００４３】
図示の例において、ＨＤＭＩクラスタ１１０において、テレビ受信機１１１は物理アドレスとして［０，０，０，０］、論理アドレスとして｛０｝を取得し、セットトップボックス１１２は物理アドレスとして［１，０，０，０］、論理アドレスとして｛４｝を取得し、オーディオアンプ１１３は物理アドレスとして［２，０，０，０］、論理アドレスとして｛５｝を取得している。
【００４４】
また、ＨＤＭＩクラスタ１２０において、テレビ受信機１２１は物理アドレスとして［１，０，０，０］、論理アドレスとして｛０｝を取得し、ＤＶＤプレーヤ１２２は物理アドレスとして［１，０，０，０］、論理アドレスとして｛４｝を取得している。
【００４５】
また、ＨＤＭＩクラスタ１３０において、テレビ受信機１３１は物理アドレスとして［０，０，０，０］、論理アドレスとして｛０｝を取得し、ゲーム機１３２は物理アドレスとして［１，０，０，０］、論理アドレスとして｛４｝を取得し、ＢＤプレーヤ１３３は物理アドレスとして［２，０，０，０］、論理アドレスとして｛８｝を取得している。
【００４６】
この実施の形態において、所定のネットワーク装置は、図３に示すような、データベース１を備えている。ここで、所定のネットワーク装置は、例えば、プロキシ機能を持つＨＤＭＩデバイス、モバイル機器２００、あるいはクラウド上のサーバなどであって、特定のネットワーク装置に限定されない。また、所定のネットワーク装置は、複数であってもよい。
【００４７】
このデータベース１には、ＨＤＭＩクラスタ１１０，１２０，１３０のＨＤＭＩデバイス毎に、少なくとも物理アドレス、論理アドレス、および固有情報を取得するための取得先情報が登録されている。この実施の形態において取得先情報はＵＲＬ（Uniform Resource Locator）とされるが、これに限定されるものではない。
【００４８】
「Date & Time」は、登録した日時を示している。「Logical address」は、論理アドレスを示している。「Physical address」は、物理アドレスを示している。「Power Status」は、パワー状態を示している。「Active Source」は、アクティブソースを示す。「System Audio Status」は、システムオーディオの状態を示している。「OSD Name」は、ディスプレイに表示する機器名を示している。「Proxy Device」は、プロキシ機能の有無を示す。「IP address」は、ＩＰアドレスを示す。「Network ID」は、ネットワークＩＤ（ＨＤＭＩクラスタＩＤ）を示している。「URL」は、取得先情報としてのＵＲＬを示している。
【００４９】
モバイル機器２００は、データベース１に基づいて、種々のＵＩ表示を行う。モバイル機器２００がデータベース１を備えている場合には、自身の記憶部からデータベース１を読み出して使用する。一方、モバイル機器２００がデータベース１を備えていない場合には、外部機器（ネットワーク装置）からデータベース１を取得して使用する。
【００５０】
モバイル機器２００は、データベース１の「Network ID」の情報に基づいて、ネットワークＩＤ（ＨＤＭＩクラスタＩＤ）の選択ボタンを表示する。図４（ａ）は、ネットワークＩＤのＵＩ表示例を示している。なお、図示の例では、ネットワークＩＤのみが表示されているが、例えば、データベース１にネットワークＩＤとルームとの対応関係情報をさらに登録しておき、図４（ｂ）に示すように、ルーム名を並べて表示することも考えられる。
【００５１】
図５のフローチャートは、モバイル機器２００におけるネットワークＩＤのＵＩ表示のための処理手順の一例を示している。モバイル機器２００は、ステップＳＴ１において、例えば、ユーザの所定の操作に応じて、処理を開始する。次に、モバイル機器２００は、ステップＳＴ２において、データベース１からネットワークＩＤを取得する。
【００５２】
次に、モバイル機器２００は、データベース１から取得されたネットワークＩＤに基づいて、ネットワークＩＤの選択ボタンをＵＩ表示する（図４参照）。そして、モバイル機器２００は、ステップＳＴ４において、処理を終了する。
【００５３】
モバイル機器２００は、ネットワークＩＤの選択ボタンがＵＩ表示された状態で、ユーザの選択操作により、所定のネットワークＩＤが選択されることで所定のＨＤＭＩクラスタが指定されるとき、データベース１に基づいて、指定されたＨＤＭＩクラスタのＨＤＭＩデバイスと、その接続状況をＵＩ表示する。図６は、ネットワークＩＤ（ＨＤＭＩクラスタＩＤ）が「Ｃ」であるＨＤＭＩクラスタ１３０のＵＩ表示例を示している。
【００５４】
図７のフローチャートは、モバイル機器２００におけるＨＤＭＩクラスタ内のＨＤＭＩデバイスとその接続状況のＵＩ表示のための処理手順の一例を示している。モバイル機器２００は、ステップＳＴ１１において、所定のネットワークＩＤの選択操作に応じて、処理を開始する。次に、モバイル機器２００は、ステップＳＴ１２において、データベース１から選択されたネットワークＩＤに対応した各ＨＤＭＩデバイスの物理アドレス、論理アドレス、機器名情報などの情報を取得する。
【００５５】
次に、モバイル機器２００は、ステップＳＴ１３において、取得情報に基づいて、選択されたネットワークＩＤのＨＤＭＩデバイスとその接続状況をＵＩ表示する（図６参照）。そして、モバイル機器２００は、ステップＳＴ１４において、処理を終了する。
【００５６】
また、モバイル機器２００は、ユーザ操作により表示ＨＤＭＩクラスタ内から所定のＨＤＭＩデバイスが指定されるとき、当該ＨＤＭＩデバイスに対応したＵＲＬが示す取得先から、固有情報が登録されたデータベース２を取得してＵＩ表示する。この固有情報には、ＨＤＭＩデバイスに関する機器カテゴリー、メーカー名、製品名、対応する操作キー、アイコンファイル、製品情報サイトなどの情報が含まれている。
【００５７】
図８は、データベース２の一例を示している。図示の例は、ＨＤＭＩクラスタ１３０のＢＤプレーヤ１３３に対応したデータベース２を示している。機器カテゴリー、メーカー名、製品名、対応する操作キー、アイコンファイル、製品情報サイトなどの情報が登録されている。図９は、ＨＤＭＩデバイスの固有情報のＵＩ表示の一例を示している。図示の例は、ＨＤＭＩデバイスがＢＤプレーヤ１３３である場合のＵＩ表示例を示している。
【００５８】
図１０のフローチャートは、モバイル機器２００における指定ＨＤＭＩデバイスの固有情報のＵＩ表示のための処理手順の一例を示している。モバイル機器２００は、ステップＳＴ２１において、所定のネットワークＩＤの選択操作に応じて、処理を開始する。次に、モバイル機器２００は、ステップＳＴ２２において、データベース１から指定ＨＤＭＩデバイスに対応したＵＲＬを取得する。
【００５９】
次に、モバイル機器２００は、ステップＳＴ２３において、ＵＲＬに基づいて固有情報の取得先にアクセスする。そして、モバイル機器２００は、ステップＳＴ２４において、取得先から指定ＨＤＭＩデバイスの固有情報を取得する。次に、モバイル機器２００は、ステップＳＴ２５において、指定ＨＤＭＩデバイスの固有情報、例えば、機器カテゴリー、メーカー名、製品名、対応する操作キーなどをＵＩ表示する。そして、モバイル機器２００は、ステップＳＴ２６において、処理を終了する。
【００６０】
モバイル機器２００は、ＵＩ表示された操作キーに対するユーザの押圧操作に応じて、対応するＨＤＭＩデバイスの制御操作を行う。モバイル機器２００は、この制御操作を、ＩＰ通信を通じて、あるいは赤外線などのリモコンコードを発生させることで実行する。
【００６１】
図１１のフローチャートは、モバイル機器２００による制御操作の一例を示している。図示の例は、コンテンツ再生の制御操作を示している。モバイル機器２００は、ステップＳＴ３１において、処理を開始する。そして、モバイル機器２００は、ステップ３２において、ＵＩ上のメニュー「Menu」のボタンを操作してコンテンツ選択をする。
【００６２】
次に、モバイル機器２００は、ステップＳＴ３３において、ＵＩ上のプレイボタンを操作して、再生操作をする。そして、モバイル機器２００は、ステップＳＴ３４において、処理を終了する。
【００６３】
モバイル機器２００は、自身がデータベース１を備えるときは、当該データベース１を用いる。また、モバイル機器２００は、自身がデータベース１を備えていないとき、データベース１を備えるネットワーク装置からＩＰ通信により当該データベース１を取得して用いる。
【００６４】
図１２は、モバイル機器２００におけるデータベース１に関係した処理を行うための機能ブロックを示している。モバイル機器２００は、制御部としてのＣＰＵ２０１と、記憶部２０２と、表示部２０３と、ユーザ操作部２０４と、通信部２０５を有している。モバイル機器２００がデータベース１を備えている場合には、記憶部２０２から当該データベース１を読み出して使用する。一方、モバイル機器２００がデータベース１を備えていない場合には、通信部２０５を利用して外部機器（ネットワーク装置）からデータベース１を取得して使用する。
【００６５】
ＣＰＵ２０１は、ユーザにより所定のＨＤＭＩクラスタが指定されるとき、データベース１に基づいて、指定されたＨＤＭＩクラスタに係るＨＤＭＩデバイスの種類やＨＤＭＩデバイスの接続状況を表示部２０３にＵＩ表示する（図６参照）。この場合、ユーザは、ユーザ操作部２０４を利用して、ＨＤＭＩクラスタ（ネットワークＩＤ）の指定操作をする。ユーザ操作部２０４は、例えば、表示部２０３上に配置されたタッチパネルにより構成される。
【００６６】
また、ＣＰＵ２０１は、表示部２０３に表示されているＨＤＭＩクラスタからユーザにより所定のＨＤＭＩデバイスが指定されるとき、データベース１に登録されている取得先情報（ＵＲＬ）を通信部２０５に送る。この場合、ユーザは、ユーザ操作部２０４を利用して、ＨＤＭＩデバイスの指定操作をする。
【００６７】
通信部２０５は、この取得先情報を利用して、外部機器（ネットワーク装置）から、指定されたＨＤＭＩデバイスの固有情報が登録されたデータベース２を取得して、ＣＰＵ２０１に送る。ＣＰＵ２０１は、データベース２に基づいて、固有情報が登録されたデータベース２を取得して、表示部２０３に、機器カテゴリー、メーカー名、製品名、対応する操作キーなどを表示する（図９参照）。
【００６８】
また、ＣＰＵ２０１は、ＵＩ表示された操作キーのユーザ操作に応じて、ＨＤＭＩデバイスの制御操作を行う。この場合、例えば、ＩＰ通信を通じて、ＨＤＭＩデバイスの動作を制御するか、あるいは図示しない赤外線などのリモコンコード発生部からリモコンコードを発生させて、ＨＤＭＩデバイスの動作を制御する。
【００６９】
図１３は、ＨＤＭＩクラスタ（ＨＤＭＩネットワーク）１２０のプロキシ機能を持つテレビ受信機１２１がデータベース１を生成し、このテレビ受信機１２１にデータベース１が存在する場合の例を示している。そして、この例では、クラウド上の“XXX社”が管理するサーバに“XXX社”の各ＨＤＭＩデバイスに対応したデータベース２が存在し、クラウド上の“YYY社”が管理するサーバに“YYY社”の各ＨＤＭＩデバイスに対応したデータベース２が存在している。
【００７０】
モバイル機器２００は、ＨＤＭＩクラスタ（ＨＤＭＩネットワーク）１２０のテレビ受信機１２１からＩＰ通信でデータベース１を受信して用いる。また、モバイル機器２００は、ユーザ操作で“XXX社”のＨＤＭＩデバイスが指定された場合には、データベース１のＵＲＬを利用してクラウド上の“XXX社”が管理するサーバにアクセスし、指定されたＨＤＭＩデバイスの固有情報が登録されたデータベース２を受信して用いる。また、モバイル機器２００は、ユーザ操作で“YYY社”のＨＤＭＩデバイスが指定された場合には、データベース１のＵＲＬを利用してクラウド上の“YYY社”が管理するサーバにアクセスし、指定されたＨＤＭＩデバイスの固有情報が登録されたデータベース２を受信して用いる。
【００７１】
［データベース１の生成］
ＨＤＭＩクラスタ１２０のテレビ受信機１２１がデータベース１を持つまでの処理について説明する。ＨＤＭＩクラスタ１１０における処理を説明する。テレビ受信機１１１は、データベース１に登録すべき自身の物理アドレス、論理アドレス、固有情報を取得するための取得先情報などを登録して自らのデータベースを作成し、ＣＥＣラインを用いたＣＥＣ通信、あるいはＨＥＣを用いたＩＰ通信で、プロキシ機能を持つオーディオアンプ１１３に送信する。
【００７２】
セットトップボックス１１２は、データベース１に登録すべき自身の物理アドレス、論理アドレス、固有情報を取得するための取得先情報などを登録して自らのデータベースを作成し、ＣＥＣラインを用いたＣＥＣ通信、あるいはＨＥＣを用いたＩＰ通信で、プロキシ機能を持つオーディオアンプ１１３に送信する。
【００７３】
テレビ受信機１１１およびセットトップボックス１１２は、データベース１の生成に関しては第１の種類のＨＤＭＩデバイスを構成する。図１４（ａ）は、第１の種類のＨＤＭＩデバイスが持つ機能ブロックを示している。すなわち、第１の種類のＨＤＭＩデバイスは、データベース１に登録すべき物理アドレス、論理アドレス、固有情報を取得するための取得先情報などを登録してデータベースを作成する登録部４１と、この登録部４１に作成されたデータベースをＣＥＣ通信あるいはＩＰ通信により他のＨＤＭＩデバイスに送信する通信部４２を備えている。
【００７４】
オーディオアンプ１１３は、データベース１に登録すべき自身の物理アドレス、論理アドレス、固有情報を取得するための取得先情報などを登録して自らのデータベースを作成する。また、オーディオアンプ１１３は、テレビ受信機１１１およびセットトップボックス１１２から、作成されたデータベースを、ＣＥＣラインを用いたＣＥＣ通信、あるいはＨＥＣを用いたＩＰ通信で、受信する。そして、オーディオアンプ１１３は、自ら作成したデータベースと受信されたデータベースを統合してＨＤＭＩクラスタ１１０のデータベースを生成し、ＩＰ通信により、ＨＤＭＩクラスタ１２０のテレビ受信機１２１に送信する。
【００７５】
オーディオアンプ１１３は、データベース１の生成に関しては第２の種類のＨＤＭＩデバイスを構成する。図１４（ｂ）は、第２の種類のＨＤＭＩデバイスが持つ機能ブロックを示している。すなわち、第２の種類のＨＤＭＩデバイスは、データベース１に登録すべき物理アドレス、論理アドレス、固有情報を取得するための取得先情報などを登録してデータベースを作成する登録部５１と、他のＨＤＭＩデバイスから作成されたデータベースを受信する第１の通信部５２を備えている。
【００７６】
また、この第２の種類のＨＤＭＩデバイスは、登録された情報と受信された情報を統合して自身が属するＨＤＭＩクラスタのデータベースを生成する生成部５３と、生成されたＨＤＭＩクラスタのデータベースを他のＨＤＭＩクラスタに送信する第２の通信部５４を備えている。
【００７７】
ＨＤＭＩクラスタ１３０における処理を説明する。テレビ受信機１３１は、データベース１に登録すべき自身の物理アドレス、論理アドレス、固有情報を取得するための取得先情報などを登録してデータベースを作成し、ＣＥＣラインを用いたＣＥＣ通信、あるいはＨＥＣを用いたＩＰ通信で、プロキシ機能を持つＢＤプレーヤ１３３に送信する。
【００７８】
ゲーム機１３２は、データベース１に登録すべき自身の物理アドレス、論理アドレス、固有情報を取得するための取得先情報などを登録してデータベースを作成し、ＣＥＣラインを用いたＣＥＣ通信、あるいはＨＥＣを用いたＩＰ通信で、プロキシ機能を持つＢＤプレーヤ１３３に送信する。
ＢＤプレーヤ１３３は、データベース１に登録すべき自身の物理アドレス、論理アドレス、固有情報を取得するための取得先情報などを登録してデータベースを作成する。また、ＢＤプレーヤ１３３は、テレビ受信機１３１およびゲーム機１３２から、作成されたデータベースを、ＣＥＣラインを用いたＣＥＣ通信、あるいはＨＥＣを用いたＩＰ通信で、受信する。そして、ＢＤプレーヤ１３３は、作成したデータベースと受信されたデータベースを統合してＨＤＭＩクラスタ１３０のデータベースを生成し、ＩＰ通信により、ＨＤＭＩクラスタ１２０のテレビ受信機１２１に送信する。
【００７９】
テレビ受信機１３１およびゲーム機１３２は、データベース１の生成に関しては第１の種類のＨＤＭＩデバイスを構成する（図１４（ａ）参照）。また、ＢＤプレーヤ１３３は、データベース１の生成に関しては第２の種類のＨＤＭＩデバイスを構成する（図１４（ｂ）参照）。
【００８０】
ＨＤＭＩクラスタ１２０における処理を説明する。ＤＶＤプレーヤ１２２は、データベース１に登録すべき自身の物理アドレス、論理アドレス、固有情報を取得するための取得先情報などを登録してデータベースを作成し、ＣＥＣラインを用いたＣＥＣ通信、あるいはＨＥＣを用いたＩＰ通信で、プロキシ機能を持つテレビ受信機１２１に送信する。ＤＶＤプレーヤ１２２は、データベース１の生成に関しては第１の種類のＨＤＭＩデバイスを構成する（図１４（ａ）参照）。
【００８１】
テレビ受信機１２１は、データベース１に登録すべき自身の物理アドレス、論理アドレス、固有情報を取得するための取得先情報などを登録してデータベースを作成する。また、テレビ受信機１２１は、ＤＶＤプレーヤ１２２から、作成されたデータベースを、ＣＥＣラインを用いたＣＥＣ通信、あるいはＨＥＣを用いたＩＰ通信で、受信する。そして、テレビ受信機１２１は、作成したデータベースと受信されたデータベースを統合してＨＤＭＩクラスタ１２０のデータベースを生成する。
【００８２】
また、テレビ受信機１２１は、ＨＤＭＩクラスタ１１０およびＨＤＭＩクラスタ１３０から、生成されたＨＤＭＩクラスタのデータベースを、ＩＰ通信により、受信する。そして、このテレビ受信機１２１は、自身のＨＤＭＩクラスタ１２０のデータベースと、受信されたＨＤＭＩクラスタ１１０，１３０のデータベースを統合して、ＨＤＭＩクラスタ１１０，１２０，１３０を含むネットワークのデータベース１（図３参照）を生成する。
【００８３】
テレビ受信機１２１は、データベース１の生成に関しては第３の種類のＨＤＭＩデバイスを構成する。図１４（ｃ）は、第３の種類のＨＤＭＩデバイスが持つ機能ブロックを示している。すなわち、第３の種類のＨＤＭＩデバイスは、データベース１に登録すべき物理アドレス、論理アドレス、固有情報を取得するための取得先情報などを登録して自らのデータベースを作成する登録部６１と、他のＨＤＭＩデバイスから作成されたデータベースを受信する第１の通信部６２と、作成したデータベースと受信されたデータベースを統合して自身が属するＨＤＭＩクラスタのデータベースを生成する第１の生成部６３を備えている。
【００８４】
また、第３の種類のＨＤＭＩデバイスは、他のＨＤＭＩクラスタから生成されたＨＤＭＩクラスタのデータベースを受信する第２の通信部６４と、自身のＨＤＭＩクラスタのデータベースと、受信されたＨＤＭＩクラスタのデータベースを統合して、複数のＨＤＭＩクラスタを含むネットワークのデータベース１を生成する第２の生成部６５を備えている。また、第３の種類のＨＤＭＩデバイスは、このデータベース１を外部機器（例えば、モバイル機器）に送信する第３の通信部６６を備えている。
【００８５】
図１５のフローチャートは、第１から第３の種類のＨＤＭＩデバイスが自らのデータベースを作成するための各種情報の登録処理手順の一例を示している。ＨＤＭＩデバイスは、ステップＳＴ４１において、処理を開始する。次に、ＨＤＭＩデバイスは、ステップＳＴ４２において、パワーオンの日時を登録する。
【００８６】
次に、ＨＤＭＩデバイスは、ステップＳＴ４３において、ＣＥＣ関連情報、すなわちＨＤＭＩ  ＣＥＣ物理アドレス、ＨＤＭＩ  ＣＥＣ論理アドレスなどを登録する。次に、ステップＳＴ４４におけるＨＤＭＩクラスタ内でのプロキシ決定に伴って、ＨＤＭＩデバイスは、ステップＳＴ４５において、自分がプロキシか否かを判断する。
【００８７】
自分がプロキシであるときは、ＨＤＭＩデバイスは、ステップＳＴ４６において、プロキシ機能有りを登録する。このステップＳＴ４６の後、ＨＤＭＩデバイスは、ステップＳＴ４７に進む。一方、自分がプロキシでないときは、ＨＤＭＩデバイスは、直ちに、ステップ４７に進む。
【００８８】
ステップＳＴ４７において、ＨＤＭＩデバイスは、ＩＰコネクションがあるか否かを判断する。ＩＰコネクションがあるとき、ＨＤＭＩデバイスは、ステップＳＴ４８において、ＩＰアドレスを登録する。このステップＳＴ４８の後、ＨＤＭＩデバイスは、ステップＳＴ４９に進む。一方、ＩＰコネクションがないときは、ＨＤＭＩデバイスは、直ちに、ステップ４９に進む。
【００８９】
次に、ＨＤＭＩデバイスは、ステップＳＴ４９におけるＨＤＭＩクラスタ間でのネットワークＩＤ決定に伴って、ステップＳＴ５０において、ネットワークＩＤを登録する。次に、ＨＤＭＩデバイスは、ステップＳＴ５１において、固有情報の宛先情報であるＵＲＬを登録する。そして、ＨＤＭＩデバイスは、ステップＳＴ５２において、処理を終了する。
【００９０】
図１６のフローチャートは、第２の種類のＨＤＭＩデバイス（プロキシデバイス）がＨＤＭＩクラスタのデータベースを作成するための処理手順の一例を示している。ＨＤＭＩデバイスは、ステップＳＴ６１において、処理を開始する。次に、ＨＤＭＩデバイスは、ステップＳＴ６２において、自身が存在するＨＤＭＩクラスタ内の他のＨＤＭＩデバイスに各種情報が登録されたデータベースを要求する。
【００９１】
次に、ＨＤＭＩデバイスは、ステップＳＴ６３において、各ＨＤＭＩデバイスから、ＣＥＣ通信あるいはＩＰ通信により、データベースを受信する。次に、ＨＤＭＩデバイスは、ステップＳＴ６４において、受信した他のＨＤＭＩデバイスからのデータベースと自身のデータベースを統合してＨＤＭＩクラスタのデータベースを得る。そして、ＨＤＭＩデバイスは、ステップＳＴ６５において、処理を終了する。
【００９２】
図１７のフローチャートは、第３の種類のＨＤＭＩデバイス（プロキシデバイス）が複数のＨＤＭＩクラスタからなるネットワークのデータベースを作成するための処理手順の一例を示している。ＨＤＭＩデバイスは、ステップＳＴ７１において、処理を開始する。次に、ＨＤＭＩデバイスは、ステップＳＴ７２において、ネットワーク内の各ＨＤＭＩクラスタから例えばＩＰブロードキャストされるＨＤＭＩクラスタのデータベースを受信する。
【００９３】
次に、ＨＤＭＩデバイスは、ステップＳＴ７３において、受信した他のＨＤＭＩクラスタからのデータベースと自身のＨＤＭＩクラスタのデータベースを統合してネットワークのデータベース１（図３参照）を得る。そして、ＨＤＭＩデバイスは、ステップＳＴ７４において、処理を終了する。
【００９４】
なお、第３の種類のＨＤＭＩデバイス（プロキシデバイス）は、定期的に、データベース１を更新する。図１８のフローチャートは、その場合における処理手順の一例を示している。ＨＤＭＩデバイスは、ステップＳＴ８１において、処理を開始する。次に、ＨＤＭＩデバイスは、ステップＳＴ８２において、他のＨＤＭＩクラスタのプロキシデバイスに対してデータベースを要求する。
【００９５】
次に、ＨＤＭＩデバイスは、ステップＳＴ８３において、他のＨＤＭＩクラスタのプロキシデバイスから、ＨＤＭＩクラスタのデータベースを受信する。次に、ＨＤＭＩデバイスは、ステップＳＴ８４において、各ＨＤＭＩクラスタのデータベースに基づいて、ネットワークのデータベース１を更新する。そして、ＨＤＭＩデバイスは、ステップＳＴ８５において、処理を終了する。
【００９６】
上述したように、図１に示すネットワーク１００のデータベース１（図３参照）が、プロキシ機能を持つＨＤＭＩデバイス、モバイル機器２００、あるいはクラウド上のサーバなどに保持されている。そして、このデータベース１に、ネットワークを構成する各ＨＤＭＩクラスタのＨＤＭＩデバイス毎に、ＨＤＭＩ  ＣＥＣ論理アドレス、ＨＤＭＩ  ＣＥＣ物理アドレスと共に、固有情報を取得するための取得先情報（ＵＲＬ）が登録されている。そのため、モバイル機器２００は、このデータベース１に基づいて、各ＨＤＭＩクラスタのＨＤＭＩデバイス毎に種々の情報を容易に取得し、利用することが可能となる。
【００９７】
この場合、データベース１に各ＨＤＭＩデバイスの固有情報を持たせるものではないので、データベース１の容量が大きくなることを回避できる。また、データベース１に各ＨＤＭＩデバイスの固有情報を取得するための取得先情報（ＵＲＬ）が登録されるものであり、取得先で持つＨＤＭＩデバイスの固有情報の内容については、各メーカーで自由に決めることができる。
【００９８】
この場合、モバイル機器２００に詳細なデバイス情報を表示する必要がないと考える場合は、データベース１に固有情報を取得するための取得先情報（ＵＲＬ）自体を登録しないことも考えられる。また、各メーカーは、自社のサーバ、特定のデバイス内、あるネットワークサービスのサーバなど、やりやすい方法で、取得先を決めることができる。
【００９９】
＜２．変形例＞
なお、上述実施の形態においては、本技術を複数のＨＤＭＩクラスタからなるホームネットワーク１００に適用したものであるが、本技術の適用範囲は、このようなホームネットワークだけに限定されるものでなく、同様のネットワークにも適用できることは勿論である。
【０１００】
また、技術は、以下のような構成もとることができる。
（１）ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースと、
上記データベースを用いた処理を行う処理部を備える
ネットワーク装置。
（２）上記処理部は、
上記データベースを外部機器に送信する
前記（１）に記載のネットワーク装置。
（３）上記外部機器は、モバイル機器である
前記（２）に記載のネットワーク装置。
（４）上記処理部は、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う
前記（１）に記載のネットワーク装置。
（５）上記固有情報の取得による表示に基づいて、上記ユーザ指定のＨＤＭＩデバイスの制御操作を行う操作部をさらに備える
前記（４）に記載のネットワーク装置。
（６）上記取得先情報は、ＵＲＬである
前記（１）から（５）のいずれかに記載のネットワーク装置。
（７）ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースを記憶部から読み出すステップと、
上記データベースを用いた処理を行うステップを有する
情報処理方法。
（８）外部機器から、少なくともＨＤＭＩ  ＣＥＣ論理アドレス、ＨＤＭＩ  ＣＥＣ物理アドレス、および固有情報を取得するための取得先情報が登録されたデータベースをＩＰ通信で受信する受信部と、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う処理部を備える
ネットワーク装置。
（９）上記固有情報の取得による表示に基づいて、上記ユーザ指定のＨＤＭＩデバイスの制御操作を行う操作部をさらに備える
前記（８）に記載のネットワーク装置。
（１０）上記取得先情報は、ＵＲＬである
前記（８）または（９）に記載のネットワーク装置。
（１１）受信部により、外部機器から、少なくともＨＤＭＩ  ＣＥＣ論理アドレス、ＨＤＭＩ  ＣＥＣ物理アドレス、および固有情報を取得するための取得先情報が登録されたデータベースをＩＰ通信で受信する受信ステップと、
上記ＨＤＭＩ  ＣＥＣ論理アドレスおよびＨＤＭＩ  ＣＥＣ物理アドレスに基づいてＨＤＭＩクラスタ内のＨＤＭＩデバイスおよび該ＨＤＭＩデバイスの接続状況を表示する処理を行うと共に、上記取得先情報に基づいてユーザ指定のＨＤＭＩデバイスの固有情報を取得して表示する処理を行う処理ステップを有する
情報処理方法。
（１２）ＨＤＭＩクラスタを構成するＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを作成する登録部と、
上記登録部で作成されたデータベースをＣＥＣ通信またはＩＰ通信で上記ＨＤＭＩクラスタを構成する他のＨＤＭＩデバイスに送信する通信部を備える
ＨＤＭＩデバイス。
（１３）上記取得先情報は、ＵＲＬである
前記（１２）に記載のＨＤＭＩデバイス。
（１４）ＨＤＭＩクラスタを構成するプロキシ機能を持つＨＤＭＩデバイスであって、
少なくとも自身のＨＤＭＩ  ＣＥＣ論理アドレス、ＨＤＭＩ  ＣＥＣ物理アドレス、および固有情報を取得するための取得先情報を登録してデータベースを作成する登録部と、
上記ＨＤＭＩクラスタを構成する他のＨＤＭＩデバイスからデータベースをＣＥＣ通信またはＩＰ通信で受信する第１の通信部と、
上記登録部で作成されたデータベースと上記第１の通信部で受信されたデータベースを統合して上記ＨＤＭＩクラスタのデータベースを生成する第１の生成部を備える
ＨＤＭＩデバイス。
（１５）上記取得先情報は、ＵＲＬである
前記（１４）に記載のＨＤＭＩデバイス。
（１６）上記第１の生成部で生成されたＨＤＭＩクラスタのデータベースを、他のＨＤＭＩクラスタにＩＰ通信で送信する第２の通信部をさらに備える
前記（１４）または（１５）に記載のＨＤＭＩデバイス。
（１７）他のＨＤＭＩクラスタで生成されたＨＤＭＩクラスタのデータベースをＩＰ通信で受信する第２の通信部と、
上記第１の生成部で生成されたＨＤＭＩクラスタのデータベースと上記第２の通信部で受信されたＨＤＭＩクラスタのデータベースを統合して複数のＨＤＭＩクラスタを含むネットワークのデータベースを生成する第２の生成部をさらに備える
前記（１４）または（１５）に記載のＨＤＭＩデバイス。
（１８）上記第２の生成部で生成されたネットワークのデータベースをＩＰ通信で外部機器に送信する第３の通信部をさらに備える
前記（１７）に記載のＨＤＭＩデバイス。
（１９）上記外部機器は、モバイル機器である
前記（１８）に記載のＨＤＭＩデバイス。
（２０）ＨＤＭＩクラスタのＨＤＭＩデバイス毎に、少なくともＨＤＭＩ  ＣＥＣ論理アドレス、ＨＤＭＩ  ＣＥＣ物理アドレス、および固有情報を取得するための取得先情報が登録されたデータベースと、
上記データベースを外部機器に送信する送信部を備える
ＨＤＭＩデバイス。
【符号の説明】
【０１０１】
１００・・・ホームネットワーク
１１０，１２０，１３０・・・ＨＤＭＩクラスタ
１１１，１２１，１３１・・・テレビ受信機
１１２・・・セットトップボックス
１１３・・・オーディオアンプ
１２２・・・ＤＶＤプレーヤ
１３２・・・ゲーム機
１３３・・・ＢＤプレーヤ
２００・・・モバイル機器
【図１】
2016177701.tif 000003
【図２】
2016177701.tif 000004
【図３】
2016177701.tif 000005
【図４】
2016177701.tif 000006
【図５】
2016177701.tif 000007
【図６】
2016177701.tif 000008
【図７】
2016177701.tif 000009
【図８】
2016177701.tif 000010
【図９】
2016177701.tif 000011
【図１０】
2016177701.tif 000012
【図１１】
2016177701.tif 000013
【図１２】
2016177701.tif 000014
【図１３】
2016177701.tif 000015
【図１４】
2016177701.tif 000016
【図１５】
2016177701.tif 000017
【図１６】
2016177701.tif 000018
【図１７】
2016177701.tif 000019
【図１８】
2016177701.tif 000020